(57)【要約】【課題】  針糸が布の針側で所定の間隔を隔てて配置されている場合でも上飾り糸の飾りループをコンパクトに纏めつつ装飾性を損なわないようにした装飾縫目を提供する。【解決手段】  複数本の針糸と１本の上飾り糸を少なくとも備え、前記針糸が布の針側で所定の間隔を隔てて配置されると共に針糸のループが布の針側に既に渡っている上飾り糸の飾りループを通り抜ける装飾縫目において、各針糸の上端部を隣接させて上飾り糸の飾りループにより纏めた。【選択図】          図１
2007143733.tif 000002
【特許請求の範囲】
【請求項１】
複数本の針糸と１本の上飾り糸を少なくとも備え、前記針糸が布の針側で所定の間隔を隔てて配置されると共に針糸のループが布の針側に既に渡っている上飾り糸の飾りループを通り抜ける装飾縫目において、各針糸の上端部を隣接させて上飾り糸の飾りループにより纏めたことを特徴とする装飾縫目。
【請求項２】
前記針糸のうち、一方の針糸の上端部が他方の針糸上端部側に寄せられている請求項１記載の装飾縫目。
【請求項３】
最右側の針糸上端部が他の針糸上端部より手前にズレていることを特徴とする請求項２記載の装飾縫目。
【発明の詳細な説明】
【技術分野】
【０００１】
本発明は、布地の針側で装飾性を持たせるようにした装飾縫目に関する。
【背景技術】
【０００２】
従来の装飾縫目としては、複数本の針糸と１本の上飾り糸とを備えたものが知られている（例えば、非特許文献１の「表示記号６０２のステッチ」を参照。）。
【０００３】
【非特許文献１】「ＪＩＳステッチ形式の分類と表示記号  ＪＩＳ  Ｌ  ０１２０−１９８４」、昭和５９年７月１日  制定、日本規格協会  発行、ｐ．２４
【発明の開示】
【発明が解決しようとする課題】
【０００４】
ところが従来の装飾縫目においては、針糸が布の針側で所定の間隔を隔てて配置されると共に布の針側に既に渡っている上飾り糸の飾りループを通り抜けているので、上飾り糸の飾りループが布の表面側で目立ってしまい、縫目自体が重厚なイメージとなっていた。
従って、本発明の課題は、針糸が布の針側で所定の間隔を隔てて配置されている場合でも上飾り糸の飾りループをコンパクトに纏めつつ装飾性を損なわないようにした装飾縫目を提供することを目的としている。
【課題を解決するための手段】
【０００５】
本発明は、上記目的を達成するために、複数本の針糸と１本の上飾り糸を少なくとも備え、前記針糸が布の針側で所定の間隔を隔てて配置されると共に針糸のループが布の針側に既に渡っている上飾り糸の飾りループを通り抜ける装飾縫目において、各針糸の上端部を隣接させて上飾り糸の飾りループにより纏めたことを特徴とする。
【０００６】
なお針糸のうちの一方の針糸の上端部を他方の針糸上端部側に寄せるとよく、最右側の針糸上端部を他の針糸上端部より手前にズラすのが望ましい。
【発明の効果】
【０００７】
本発明によれば、各針糸の上端部を隣接させて上飾り糸の飾りループにより纏めているので、布の針側で上飾り糸の飾りループがコンパクトになり、重厚なイメージを払拭することができる。なお最右側の針糸上端部を他の針糸上端部より手前にずらすと、上飾り糸の渡り方が滑らかとなる。また各針糸の上端部は上飾り糸の飾りループで纏められているので、縫目形成時に各針糸の張力バランスを厳格に設定する必要がない。
【発明を実施するための最良の形態】
【０００８】
以下、本発明の実施の形態を図面を基づいて説明する。装飾縫目Ｓ１は、図１に示されるように、２本の針糸１，２と１本の上飾り糸３を備えている。針糸１，２は布の針側で所定の間隔を隔てて配置され、右側の針糸２の上端部２ａが左側の針糸１の上端部１ａに寄せられている。つまり各針糸上端部１ａ，２ａは隣接している。針糸のループ１Ｌ，２Ｌは、ルーパ糸４の二つに分かれたループ４ａ，４ｂを通り抜けてルーパ糸４の他の１つのループ４ｅと他糸ルーピングしている。なおルーパ糸４は布の裏面側に配置される。
【０００９】
上飾り糸３は布の針側で水平に渡る飾りループ３ａ，３ｂを左右に形成し、該飾りループ３ａ，３ｂは布の針側に渡っている針糸上端部１ａ，２ａを横切っている。つまり針糸ループ１Ｌ，２Ｌは布の針側に既に渡っている上飾り糸３の飾りループ３ａ，３ｂを通り抜けている。なお右側の針糸上端部２ａは上飾り糸３によって手前にずらされており、布の表面側は図２に示されるような模様（中央部に示された模様）となる。これにより上飾り糸３の渡り方が滑らかとなり、各針糸上端部１ａ，２ａは上飾り糸３のループ３ａ，３ｂによって纏められることとなる。
【００１０】
本実施の形態では右側の針糸上端部が左側の針糸側で纏められていたが、これに限定されるわけでない。例えば、左側の針糸上端部が右側の針糸側で纏められた装飾縫目であってもよく、各針糸上端部１ａ，２ａが、図３に示されるように、中央で纏められていてもよい。また本実施の形態では２本の針糸を備えた装飾縫目で説明が行われていたが、これに限定されるわけでなく、例えば３本の針糸を備えた装飾縫目でもよい。
【００１１】
３本の針糸を備えた装飾縫目Ｓ２の一例を図４に示す。この装飾縫目Ｓ２は、３本の針糸５，６，７及び上飾り糸８を備えている。各針糸５，６，７は布の針側で所定の間隔を隔てて配置され、両サイドの針糸上端部５ａ，７ａが中央の針糸上端部６ａに寄せられている。つまり各針糸上端部５ａ，６ａ，７ａは隣接している。上飾り糸８は布の針側で水平に渡る飾りループ８ａ，８ｂを左右に形成し、該飾りループ８ａ，８ｂは布の針側に既に渡っている針糸上端部５ａ，６ａ，７ａを横切っている。つまり針糸ループは布の針側に既に渡っている上飾り糸８の飾りループ８ａ，８ｂを通り抜けている。
【００１２】
なお左側の針糸上端部５ａと中央の針糸上端部６ａは揃っているが、右側の針糸上端部７ａは上飾り糸９によって手前にずらされており、布の表面側は図５に示されるような模様（中央部に示された模様）となる。これにより上飾り糸８の渡り方が滑らかとなり、各針糸上端部５ａ，６ａ，７ａは上飾り糸８のループ８ａ，８ｂによって纏められることとなる。因みに装飾縫目Ｓ２の針糸ループは、ルーパ糸９の三つに分かれたループを通り抜けてルーパ糸９の他の１つのループと他糸ルーピングしている。
【００１３】
本発明に係る装飾縫目を形成するためのミシンとしては、公知の偏平縫いミシンを用いるとよい。公知の偏平縫いミシンは通常、前面側に各糸用の糸調子装置を備えており、糸経路上の糸張力は糸調子装置の操作で変更される。これにより、装飾縫目を構成する各糸の長さが変更される。装飾縫目Ｓ１の場合は右側の針糸２に関する糸張力を弱めに設定するとよく、装飾縫目Ｓ２の場合は両サイドの針糸５，７に関する糸張力を弱めに設定するとよい。なお上飾り糸３，８に関する糸張力は強めに設定し、ルーパ糸４，９に関する糸張力は通常通りに設定しておくとよい。
【００１４】
また本実施の形態では、布裏面側に配置されるルーパ糸を１本として説明していたが、これに限定されるわけでなく、針糸に対応して複数のルーパ糸を設けてもよい。
【図面の簡単な説明】
【００１５】
【図１】本発明に係る装飾縫目の第１実施例を示した斜視図である。
【図２】第１実施例の布表面側を示す写真である。
【図３】別の装飾縫目の布表面側を示す写真である。
【図４】本発明に係る装飾縫目の第２実施例を示した斜視図である。
【図５】第２実施例の布表面側を示す写真である。
【符号の説明】
【００１６】
１，２，５，６，７              針糸
１Ｌ，２Ｌ                      針糸のループ
１ａ，２ａ，５ａ，６ａ，７ａ    針糸上端部
３，８                          上飾り糸
３ａ，３ｂ，８ａ，８ｂ          飾りループ
４，９                          ルーパ糸
【図１】
2007143733.tif 000003
【図４】
2007143733.tif 000004
【図２】
2007143733.tif 000005
【図３】
2007143733.tif 000006
【図５】
2007143733.tif 000007